(57)【要約】【課題】  顔面の正面部と両側面部とを覆う透明硬質プラスチック素材の単一のアイピースと、アイピースの周縁に一体的に組付けられて顔面の周縁部を覆う柔軟弾性素材の本体部とを備える呼吸装置の全面形面体であって、アイピース成型金型の製造工数が従来に比べて低減した全面形面体を提供する。【解決手段】  顔面の正面部と両側面部とを覆う透明硬質プラスチック素材の単一のアイピースと、アイピースの周縁に一体的に組付けられて顔面の周縁部を覆う柔軟弾性素材の本体部とを備え、アイピースが複数の球面を備えている。【選択図】  図１
2017138101.tif 000002
【特許請求の範囲】
【請求項１】
顔面の正面部と両側面部とを覆う透明硬質プラスチック素材の単一のアイピースと、アイピースの周縁に一体的に組付けられて顔面の周縁部を覆う柔軟弾性素材の本体部とを備え、アイピースが複数の球面を備えていることを特徴とする呼吸装置の全面形面体。
【請求項２】
アイピースの正面上部と正面下部とがそれぞれ別個の球面であり、正面上部の球面の曲率半径をＲ１、正面下部の球面の曲率半径をＲ２とした時に、Ｒ１>Ｒ２であることを特徴とする請求項１に記載の呼吸装置の全面形面体。
【請求項３】
アイピースの両側面上部が球面であり、両側面上部の球面の曲率半径をＲ３とした時に、Ｒ３>Ｒ１であり、両側面下部が自由曲面であることを特徴とする請求項２に記載の呼吸装置の全面形面体。
【発明の詳細な説明】
【技術分野】
【０００１】
本発明は、呼吸装置の全面形面体に関するものである。
【背景技術】
【０００２】
顔面の正面部と両側面部とを覆う透明硬質プラスチック素材の単一のアイピースと、アイピースの周縁に一体的に組付けられて顔面の周縁部を覆う柔軟弾性素材の本体部とを備える呼吸装置の全面形面体が、特許文献１、２等に開示されている。
【先行技術文献】
【特許文献】
【０００３】
【特許文献１】特開２０１３−０８５８４５号公報
【特許文献２】特開２０１３−１７２７７９号公報
【発明の概要】
【発明が解決しようとする課題】
【０００４】
従来の全面形面体には、アイピース全体が複雑な曲面であり、アイピース成型金型の製造工数の増加を招くという問題があった。
本発明は、顔面の正面部と両側面部とを覆う透明硬質プラスチック素材の単一のアイピースと、アイピースの周縁に一体的に組付けられて顔面の周縁部を覆う柔軟弾性素材の本体部とを備える呼吸装置の全面形面体であって、従来に比べてアイピース成型金型の製造工数が低減した全面形面体を提供することを目的とする。
【課題を解決するための手段】
【０００５】
上記課題を解決するために、本発明においては、顔面の正面部と両側面部とを覆う透明硬質プラスチック素材の単一のアイピースと、アイピースの周縁に一体的に組付けられて顔面の周縁部を覆う柔軟弾性素材の本体部とを備え、アイピースが複数の球面を備えていることを特徴とする呼吸装置の全面形面体を提供する。
アイピースが球面を備えることにより、アイピース全体が複雑な曲面である場合に比べて、アイピース成型金型の製造工数が低減する。
アイピース全体が単一の球面であれば、アイピース成型金型製造工数の低減量は最大になるが、アイピースの前後上下左右方向の寸法が大になり、全面形面体ひいては呼吸装置の使い勝手が低下する。アイピースが複数の球面を備えることにより、アイピース成型金型の製造工数を従来に比べて低減しつつ、アイピースの寸法増加を抑制することができる。
本発明の好ましい態様によれば、アイピースの正面上部と正面下部とがそれぞれ別個の球面であり、正面上部の球面の曲率半径をＲ１、正面下部の球面の曲率半径をＲ２とした時に、Ｒ１>Ｒ２である。
アイピースの正面上部と正面下部とを別個の球面とすることにより、これらを単一の球面とする場合に比べて、アイピースの前後方向寸法を低減できる。正面上部の球面の曲率半径Ｒ１と正面下部の球面の曲率半径Ｒ２との関係をＲ１>Ｒ２とすることにより、正面下部を使用者の顎に接近させ、アイピースの上下方向寸法を低減できる。
本発明の好ましい態様によれば、アイピースの両側面上部が球面であり、両側面上部の球面の曲率半径をＲ３とした時に、Ｒ３>Ｒ１であり、両側面下部が自由曲面である。
両側面上部の球面の曲率半径Ｒ３と正面上部の球面の曲率半径Ｒ１との関係をＲ３>Ｒ１とすることにより、アイピースの左右方向寸法を低減できる。両側面下部を自由曲面とすることにより、隣接する球面との接続を滑らかにすることができる。
【図面の簡単な説明】
【０００６】
【図１】本発明の実施例に係る全面形面体の正面図である。
【図２】本発明の実施例に係る全面形面体の側面図である。
【図３】本発明の実施例に係る全面形面体の斜視図である。
【図４】本発明の実施例に係る全面形面体が備えるアイピースの正面図である。
【図５】本発明の実施例に係る全面形面体が備えるアイピースの側面図である。
【図６】本発明の実施例に係る全面形面体が備えるアイピースの斜視図である。
【発明を実施するための形態】
【０００７】
本発明の実施例に係る呼吸装置の全面形面体を説明する。
図１〜３に示すように、呼吸装置の全面形面体１は、使用者の顔面の正面部と両側面部とを覆う透明硬質プラスチック素材の単一のアイピース２と、アイピース２の周縁に一体的に組付けられて使用者の顔面の周縁部を覆う柔軟弾性素材の本体部３と、全面形面体１を使用者の頭部に装着するための図示しない装着バンドを取り付けるための本体部３と一体形成された装着バンド取り付け部４とを備えている。
図１〜６に示すように、アイピース２の正面上部２ａと正面下部２ｂと両側面上部２ｃとは、それぞれ別個の球面である。正面上部２ａの球面の曲率半径Ｒ１、正面下部２ｂの球面の曲率半径Ｒ２、両側面上部２ｃの球面の曲率半径Ｒ３の関係は、Ｒ３>Ｒ１>Ｒ２に設定されている。両側面下部２ｄは自由曲面である。
図４〜６に示すように、アイピース２の正面下部２ｂの中央部に排気弁収容開口２ｂ１と伝声器収容開口２ｂ２が形成され、正面下部２ｂの両側部に吸気弁収容開口２ｂ３が形成されている。排気弁収容開口２ｂ１には図示しない排気弁が取り付けられ、伝声器収容開口２ｂ２には図示しない伝声器が取り付けられ、更に図１〜３に示すように排気弁と伝声器を覆って保護カバー５が取り付けられる。吸気弁収容開口２ｂ３には図２に示すように吸気弁６が取り付けられ、更に図示しない除塵フィルターや吸収缶が取り付けられる。
図４〜６に示すように、保護カバー５や図示しない除塵フィルターや吸収缶の取り付けのために、排気弁収容開口２ｂ１と伝声器収容開口２ｂ２の周囲と、吸気弁収容開口２ｂ３の周囲とは、砲台状に盛り上がり、且つ砲台頂部は平面である。図４から分かるように、保護カバー５の取り付け用の砲台状の盛り上げ部により、アイピースの正面下部２ｂは左右に分断されているが、両者は単一の球面である。
【０００８】
全面形面体１においては、アイピース２が球面を備えているので、アイピース全体が複雑な曲面である従来の全面形面体に比べて、アイピース成型金型の製造工数が低減している。
アイピース２の全体が単一の球面であれば、アイピース成型金型製造工数の低減量は最大になるが、アイピースの前後上下左右方向の寸法が大になり、全面形面体１ひいては全面形面体１を備える図示しない呼吸装置の使い勝手が低下する。
全面形面体１においては、正面上部２ａと正面下部２ｂとが別個の球面なので、これらが単一の球面である場合に比べて、アイピース２の前後方向寸法が低減している。正面上部２ａの球面の曲率半径Ｒ１と正面下部２ｂの球面の曲率半径Ｒ２との関係をＲ１>Ｒ２としたので、正面下部２ｂが使用者の顎に接近し、アイピース２の上下方向寸法が低減している。
全面形面体１においては、両側面上部２ｃの球面の曲率半径Ｒ３と正面上部２ａの球面の曲率半径Ｒ１との関係をＲ３>Ｒ１としたので、アイピース２の左右方向寸法が低減している。上記構成により、全面形面体１は適正寸法で使い勝手の良いものになっている。
全面形面体１においては、両側面下部２ｄが自由曲面なので、球面である正面上部２ａ、正面下部２ｂ、両側面上部２ｃとの接続が滑らかになっている。
アイピース２が備える複数の球面の態様は、上記実施例の態様に限定されない。例えば、アイピース２の正面と両側面の上部と下部とを別個の球面とし、両側面中央部を自由曲面としても良い。
アイピース２に形成される開口の種類、個数、用途は上記実施例のものに限定されない。開口を有さないアイピースを備える全面形面体にも本発明は適用可能である。
【産業上の利用可能性】
【０００９】
本発明は、顔面の正面部と両側面部とを覆う透明硬質プラスチック素材の単一のアイピースと、アイピースの周縁に一体的に組付けられて顔面の周縁部を覆う柔軟弾性素材の本体部とを備える呼吸装置の全面形面体に広く利用可能である。
【符号の説明】
【００１０】
１  全面形面体
２  アイピース
２ａ  正面上部
２ｂ  正面下部
２ｂ１  排気弁収容開口
２ｂ２  伝声器収容開口
２ｂ３  吸気弁収容開口
２ｃ  側面上部
２ｄ  側面下部
３  本体部
４  装着バンド取り付け部
５  保護カバー
６  吸気弁
【図１】
2017138101.tif 000003
【図２】
2017138101.tif 000004
【図３】
2017138101.tif 000005
【図４】
2017138101.tif 000006
【図５】
2017138101.tif 000007
【図６】
2017138101.tif 000008
【国際調査報告】
2017138101.tif 000009
2017138101.tif 000010